(57)【要約】【課題】引き戸パネルが吊り下げ保持された状態のまま、下レールを取り外して簡単且つ十分に清掃することができるキャビネット用引き戸を提供する。【解決手段】キャビネット１の開口部２を開閉する引き戸パネル３の上端部分両側にランナー４を設け、両ランナー４を同開口部２の上側口縁端に設けられる上レール５にスライド自在に係合して、引き戸パネル３を走行自在に吊り下げ保持し、この引き戸パネル３の下端部分にガイド片６を垂設し、このガイド片６を同開口部２の下側口縁端に設けられる下レール７にスライド自在に係合してなるキャビネット用引き戸において、前記開口部２の下側口縁端の両側端に支持体８を前方へ突設し、両支持体８に下レール７の両端部を前方から嵌着して、この下レール７を両支持体８間に着脱自在に架設固定した。【選択図】　　　　　図１
2004116230.tif 000002
【特許請求の範囲】
【請求項１】
キャビネットの開口部を開閉する引き戸パネルの上端部分両側にランナーを設け、両ランナーを同開口部の上側口縁端に設けられる上レールにスライド自在に係合して、引き戸パネルを走行自在に吊り下げ保持し、この引き戸パネルの下端部分にガイド片を垂設し、このガイド片を同開口部の下側口縁端に設けられる下レールにスライド自在に係合してなるキャビネット用引き戸であって、前記開口部の下側口縁端の両側端に支持体を前方へ突設し、両支持体に下レールの両端部を前方から嵌着して、この下レールを両支持体間に着脱自在に架設固定してなるキャビネット用引き戸。
【請求項２】
下レールを後方へ開口した断面略コ字状の型材で形成し、この下レールの両端部における同開口を支持体に前方から外嵌めして嵌着したことを特徴とする請求項１記載のキャビネット用引き戸。
【請求項３】
支持体の外側周縁に下レールの端部縁を覆うフランジ片を一体に突設したことを特徴とする請求項２記載のキャビネット用引き戸。
【請求項４】
フランジ片の上辺部分を引き戸パネルの下端部分側端が着脱自在に当止される戸当り片部として上方へ延設したことを特徴とする請求項３記載のキャビネット用引き戸。
【請求項５】
ガイド片がスライド自在に係合されるレール溝を下レールの上面に形成し、引き戸パネルの下端部分に同ガイド片を上下動自在に垂設したことを特徴とする請求項１〜４のいずれか一つに記載のキャビネット用引き戸。
【請求項６】
ガイド片を下方へ弾発付勢したことを特徴とする請求項５記載のキャビネット用引き戸。
【発明の詳細な説明】
【０００１】
【発明の属する技術分野】
本発明は、キャビネットの開口部に上下でスライド自在に係合保持されて、同開口部を開閉する引き戸パネルを備えたキャビネット用引き戸に関するものである。
【０００２】
【従来の技術】
従来のキャビネット用引き戸は、一般に、図４に示す如く、キャビネット１の開口部２を開閉する引き戸パネル３の上端部分両側にランナー４を設け、両ランナー４を同開口部２の上側口縁端に設けられる上レール５にスライド自在に係合して、引き戸パネル３を走行自在に吊り下げ保持し、この引き戸パネル３の下端部分にガイド片６を垂設し、このガイド片６を同開口部２の下側口縁端に設けられる下レール７にスライド自在に係合してなるものである。
【０００３】
この場合、上レール５には二つの走行部１６が並設形成されており、両走行部１６に各々ランナー４がスライド自在に係合されて、二枚の引き戸パネル３が引き違い式に開閉されるものである。そして、上レール５には後方へ取着片１８が突設されており、この取着片１８がビス１９でキャビネット１の天板１２の前端部分下面に取着されることによって、同上レール５は固定されている。
【０００４】
又、下レール７の上面には二条のレール溝１１が並設形成されており、両レール溝１１にガイド片６が摺動自在に係合されることによって、開閉走行される引き戸パネル３は振れ動かないようにガイドされる。そして、前記の上レール５と同様に、下レール７の後方へ突設される取着片１８がビス１９でキャビネット１の底板１３の前端部分上面に取着されることによって、同下レール７は固定されている。
【０００５】
したがって、この場合には、吊り下げ保持された二枚の引き戸パネル３を引き違い式に走行させて、キャビネット１の大きな開口部２をその両側で開閉することができる。又、その際、ガイド片６により摺動ガイドされて、引き戸パネル３はその振れ動きが防止されてスムーズに走行される。しかしながら、下レール７の上面に形成されたレール溝１１には埃やゴミが溜まり易く、そうなると、ガイド片６のスライドが滑らかでなくなって、引き戸パネル３の走行性に支障を来すこととなる。
【０００６】
そのため、従来にあっては、下レール７のレール溝１１の清掃を頻繁に行い、引き戸パネル３の走行性を確保していた。しかし、下レール７のレール溝１１の清掃作業は容易ではない。すなわち、下レール７がキャビネット１に取り付けられた状態でその上面のレール溝１１を清掃するには、上方に吊り下げ保持された引き戸パネル３、及び、同レール溝１１に係合されているガイド片６が邪魔になり、しかも、ブラシによる掃き掃除や布切れによる拭き掃除でしか清掃することができないものであり、それ故、清掃作業が困難で十分には清掃しきれないという問題があった。
【０００７】
ここで、下レール７をキャビネット１から取り外して清掃することも考えられるが、この場合は、下レール７が両側枠等と共にキャビネット１の開口部２にビス１９で強固に取着固定されており、清掃のために同下レール７を取り外すことは実際的でない。ただ、引き戸パネル３が吊り下げ保持されているので、下レール７のみを取り外す場合には、同引き戸パネル３が吊り下げ保持された使用状態のままで、同下レール７を取り外して清掃し得ることとなり、この下レール７の着脱性を改善向上させることが望まれるところである。
【０００８】
そこで、下レールが取り外し可能な引き戸に関する公知技術をみてみると、一般に、下レールは床面に敷設されており、この下レールを取り外す作業が困難なものである。例えば、特開平８−３０３１２４号公報に示される建具用敷居にあっては、下レールに相当する敷居本体がその巾方向の前後両端で床表面材の端縁部上に支持されており、この床表面材の端縁部間から同敷居本体を上方へ抜き外さなければならないものである。この場合、引戸が吊り下げ保持されてその下端部分に垂設されるガイドピンが敷居本体の上面に形成されたレール溝に係合されている状態では、同敷居本体を上方へ抜き外せないものである。そのため、引戸を取り外さなければ敷居本体を取り外すことができないものであり、その作業は極めて困難となる。
【０００９】
又、特開平８−３２６４２７号公報に示される建具の取付構造にあっては、下レールに相当する下枠が床面に施工されたグレーチングに凹凸嵌合により固定されるものである。この場合、施工の際に下枠を固定するのは簡単であるが、施工後に同下枠を取り外すとなると、相当に困難な作業を要するものとなる。すなわち、下枠の上方に施工される建具（引き戸パネルに相当）を取付枠と共にこの下枠上から取り除かなければならず、このような作業は極めて困難で、同下枠の清掃のために伴う作業としては実際的でない。
【００１０】
【特許文献１】
特開平８−３０３１２４号公報（図４、５）
【００１１】
【特許文献２】
特開平８−３２６４２７号公報（図１、３）
【００１２】
【発明が解決しようとする課題】
本発明は、上記従来の技術における問題を悉く解決するために発明されたもので、その課題は、引き戸パネルが吊り下げ保持された状態のままで、下レールをキャビネットに対し容易に着脱することができ、同下レールを取り外して簡単且つ十分に清掃することができるキャビネット用引き戸を提供することである。
【００１３】
【課題を解決するための手段】
本発明の請求項１記載のキャビネット用引き戸は、キャビネットの開口部を開閉する引き戸パネルの上端部分両側にランナーを設け、両ランナーを同開口部の上側口縁端に設けられる上レールにスライド自在に係合して、引き戸パネルを走行自在に吊り下げ保持し、この引き戸パネルの下端部分にガイド片を垂設し、このガイド片を同開口部の下側口縁端に設けられる下レールにスライド自在に係合してなるキャビネット用引き戸であって、前記開口部の下側口縁端の両側端に支持体を前方へ突設し、両支持体に下レールの両端部を前方から嵌着して、この下レールを両支持体間に着脱自在に架設固定してなる。
【００１４】
したがって、この場合、引き戸パネルはその上端部分両側のランナーが上レールにスライド自在に係合されることで走行自在に吊り下げ保持されており、この状態のままでも、下レールを取り外し得るものである。しかも、キャビネットの開口部の下側口縁端の両側端に支持体が前方へ突設され、両支持体に下レールの両端部が前方から嵌着されて、この下レールは両支持体間に着脱自在に架設固定されるものであるため、引き戸パネルが吊り下げ保持された状態のままでも、同下レールを前後方向に移動させてキャビネットの開口部の下側口縁端に対し容易に着脱させることができる。
【００１５】
すなわち、下レールを手前側へ引き動かしてその両端部を両支持体から取り外し、又、同下レールを後方へ押し動かしてその両端部を両支持体に嵌着させて取り付けることができ、その際、上方で吊り下げ保持されている引き戸パネルはそのままでも支障なくこのような着脱作業を行うことができる。それ故、引き戸パネルが吊り下げ保持された状態のままでも、下レールをキャビネットに対して容易に着脱することができ、同下レールを取り外した状態にして簡単且つ水洗い等で十分に清掃することができる。しかも、下レールが両支持体間に架設固定されて強固に支持され、着脱の際には、同下レールの両端部での嵌着脱となって、抵抗少なくスムーズにこの着脱作業を行うことができる。
【００１６】
本発明の請求項２記載のキャビネット用引き戸は、上記請求項１記載のキャビネット用引き戸において、下レールを後方へ開口した断面略コ字状の型材で形成し、この下レールの両端部における同開口を支持体に前方から外嵌めして嵌着したことを特徴とする。
【００１７】
したがって、この場合は特に、下レールが後方へ開口した断面略コ字状の型材で形成されて強固となり、しかも、この下レールの両端部における同開口が利用されて、この開口を支持体に前方から外嵌めにより嵌着することで、両支持体は覆い隠され、簡単な構造で確実且つ外観良く同下レールを架設固定することができる。
【００１８】
本発明の請求項３記載のキャビネット用引き戸は、上記請求項２記載のキャビネット用引き戸において、支持体の外側周縁に下レールの端部縁を覆うフランジ片を一体に突設したことを特徴とする。
【００１９】
したがって、この場合は特に、支持体の外側周縁に突設されたフランジ片が下レールの端部縁を覆い、同支持体は端部カバーキャップを兼ねるものとなり、同下レールの端部納まり外観が良好となる。
【００２０】
本発明の請求項４記載のキャビネット用引き戸は、上記請求項３記載のキャビネット用引き戸において、フランジ片の上辺部分を引き戸パネルの下端部分側端が着脱自在に当止される戸当り片部として上方へ延設したことを特徴とする。
【００２１】
したがって、この場合は特に、上記フランジ片が利用されて、このフランジ片の上辺部分を上方へ延設することで戸当り片部は容易に形成され、引き戸パネルの下端部分側端が同戸当り片部に着脱自在に当止される。
【００２２】
本発明の請求項５記載のキャビネット用引き戸は、上記請求項１〜４のいずれか一つに記載のキャビネット用引き戸において、ガイド片がスライド自在に係合されるレール溝を下レールの上面に形成し、引き戸パネルの下端部分に同ガイド片を上下動自在に垂設したことを特徴とする。
【００２３】
したがって、この場合は特に、下レールの上面に形成されたレール溝にガイド片がスライド自在に係合されることで、引き戸パネルはその振れ動きが防止されてスムーズに走行される。しかも、引き戸パネルの下端部分にガイド片が上下動自在に垂設されるので、下レールを前後方向に移動させて着脱する際に、同ガイド片を上方へ退避させて支障なく容易に着脱することができる。
【００２４】
本発明の請求項６記載のキャビネット用引き戸は、上記請求項５記載のキャビネット用引き戸において、ガイド片を下方へ弾発付勢したことを特徴とする。
【００２５】
したがって、この場合は特に、上記のように、下レールを前後方向に移動させて着脱する際に、ガイド片を弾発付勢力に抗し上方へ退避させて支障なく容易に着脱することができ、下レールを嵌着して取り付けた際には、同ガイド片が弾発付勢力により自動的にレール溝に係合され、このレール溝から抜け外れることも防止される。
【００２６】
【発明の実施の形態】
図１〜３は、本発明の請求項１〜６全てに対応した一実施形態であるキャビネット用引き戸を示している。このキャビネット用引き戸は、キャビネット１の開口部２を開閉する引き戸パネル３の上端部分両側にランナー４を設け、両ランナー４を同開口部２の上側口縁端に設けられる上レール５にスライド自在に係合して、引き戸パネル３を走行自在に吊り下げ保持し、この引き戸パネル３の下端部分にガイド片６を垂設し、このガイド片６を同開口部２の下側口縁端に設けられる下レール７にスライド自在に係合してなる。
【００２７】
そして、前記開口部２の下側口縁端の両側端に支持体８を前方へ突設し、両支持体８に下レール７の両端部を前方から嵌着して、この下レール７を両支持体８間に着脱自在に架設固定している。この場合、下レール７を後方へ開口した断面略コ字状の型材で形成し、この下レール７の両端部における同開口を支持体８に前方から外嵌めして嵌着するものである。
【００２８】
又、この実施形態のキャビネット用引き戸では、支持体８の外側周縁に下レール７の端部縁を覆うフランジ片９を一体に突設しており、この場合に、同フランジ片９の上辺部分を引き戸パネル３の下端部分側端が着脱自在に当止される戸当り片部１０として上方へ延設してもいる。更に、ガイド片６がスライド自在に係合されるレール溝１１を下レール７の上面に形成し、引き戸パネル３の下端部分に同ガイド片６を上下動自在に垂設しており、このガイド片６を下方へ弾発付勢してもいる。
【００２９】
以下、この実施形態のキャビネット用引き戸を、より詳細に説明する。この実施形態のキャビネット用引き戸では、図１に示す如く、二個のキャビネット１が接合並設され、各キャビネット１の両開口部２にわたって上レール５及び下レール７が取り付けられている。両キャビネット１は同形状且つ同寸法で、いずれのキャビネット１も前方へ開口した箱型であり、天板１２と底板１３と両側板１４と背板１５とで囲まれた収納スペースを有している。そして、側板１４同士が接合された状態で両キャビネット１は並設結合され、キッチン等の収納キャビネットとして設置施工される。この場合、二つに仕切られた収納スペースを有する収納キャビネットとなる。
【００３０】
上レール５はアルミニウム製の型材でなり、図３に示す如く、下方へ開口した断面略コ字型の二つの走行部１６が並設形成されたものである。そして、両走行部１６に各々ランナー４がスライド自在に係合されて、二枚の引き戸パネル３が引き違い式に開閉される。この場合、ランナー４は両側に転動車１７を有しており、両転動車１７が走行部１６両側の軌道上を転動することによって、同ランナー４は上レール５に沿ってこれに支持されながらスライド走行する。すなわち、二枚の引き戸パネル３は、吊り下げ保持された状態で各々スライド走行され、相互に引き違い式に開閉される。
【００３１】
又、上レール５には後方へ取着片１８が一体に突設されており、この取着片１８がビス１９でキャビネット１の天板１２の前端部分下面に取着されることによって、同上レール５は固定されている。この場合、上レール５が天板１２の前端部分に連続して前方へ突出するように設けられるので、一体感のある外観となる。又、上レール５の取着片１８にはカバー片２０が一体に垂設されており、このカバー片２０が前記引き戸パネル３の上端と同上レール５との間の隙間をその後方で覆ぎ、前方から見た外観を向上させてもいる。
【００３２】
下レール７は後方へ開口した断面略コ字型のアルミニウム製の型材でなり、その上辺部７ａの上面に二条のレール溝１１が並設形成されている。そして、図１にも示す如く、下レール７はその両端部が、前記キャビネット１の開口部２の下側口縁端両側で前方へ突設される両支持体８に各々前方から嵌着されることで、同両支持体８間に着脱自在に架設固定される。
【００３３】
支持体８は合成樹脂製の成形品ブロックで、キャビネット１の底板１３と側板１４とのなすコーナー部分の前端で略角柱状に突設される。この場合、図２に示す如く、支持体８の後端部分には略Ｌ字型の取着部２１が一体に形成されており、この取着部２１を側板１４の内角部分に位置決め係合し、この側板１４の内側面に同取着部２１の内側辺をビス１９で取着することにより、同支持体８は前方へ突出するように固定されている。
【００３４】
又、支持体８の外側全周縁にはフランジ片９が一体に突設されており、このフランジ片９の上辺部分だけを上方へ長く延設することによって、前記引き戸パネル３の下端部分側端が着脱自在に当止される戸当り片部１０が形成されている。支持体８の突出基端部付近の上面及び下面には、フランジ片９から内側端にまで至る横方向の係止溝２２が形成されており、この係止溝２２は上方或いは下方へ開口した断面略半円弧状の凹溝である。
【００３５】
そして、両支持体８に前方から前記下レール７の両端部の後方開口が外嵌めして嵌着され、その際、両支持体８のフランジ片９に摺接し位置決めガイドされてスムーズに嵌着される。しかも、下レール７の上辺部７ａの下面及び下辺部７ｂの上面の各先端部付近には凸条２３が形成されており、両凸条２３が前記支持体８の係止溝２２に係止されることで、両支持体８に対し同下レール７は手前側へ抜け外れないよう確実に挟着されて固定される。
【００３６】
又、その際、下レール７の上辺部７ａの先端部分両側に切欠部２４が形成されていて、この切欠部２４に前記支持体８の取着部２１が収容係合され、これによっても同下レール７は位置決めされる。なお、下レール７の上辺部７ａの先端部分中央にも同様に切欠部２４（図示せず）が形成され、この切欠部２４には前記両キャビネット１の接合部分にある両側板１４の前端部分が収容係合される。
【００３７】
そして、図３に示す如く、前記下レール７の両レール溝１１にガイド片６が摺動自在に係合されることによって、開閉走行される引き戸パネル３は振れ動かないようにガイドされる。この場合には、上レール５で吊り下げ保持された二枚の引き戸パネル３を引き違い式に走行させて、キャビネット１の大きな開口部２（二つのキャビネット１の両開口部２）をその両側で開閉することができる。又、その際、引き戸パネル３の両側のガイド片６により摺動ガイドされて、両引き戸パネル３は各々の振れ動きが防止されてスムーズに引き違い走行される。
【００３８】
更に、両引き戸パネル３の下端部分両側に垂設される各ガイド片６は、いずれも同引き戸パネル３の下端部分に内蔵されたスプリング２５によって下方へ弾発付勢されており、走行の際には、各ガイド片６の下端が下レール７のレール溝１１の内底面に弾性的に摺接してがたつき難く、このレール溝１１から外れ難いものでもある。又、下レール７の上辺部７ａの後側先端縁には、キャビネット１の底板１３の前端部分上面に当接支持される湾曲片２６が延設されており、同下レール７を後方へ押し動かして取り付ける際に、ガイド片６が同湾曲片２６に摺接しながら弾性付勢力に抗し上方へ押し上げられてスムーズに退避される。
【００３９】
したがって、この実施形態のキャビネット用引き戸において、引き戸パネル３はその上端部分両側のランナー４が上レール５にスライド自在に係合されることで走行自在に吊り下げ保持されており、この状態のままでも、下レール７を取り外し得るものである。しかも、キャビネット１の開口部２の下側口縁端の両側端に支持体８が前方へ突設されて、両支持体８に下レール７の両端部が前方から嵌着され、この下レール７は両支持体８間に着脱自在に架設固定されるものであるため、引き戸パネル３が吊り下げ保持された状態のままであっても、同下レール７を前後方向に移動させてキャビネット１の開口部２の下側口縁端に対し容易に着脱させることができる。
【００４０】
すなわち、下レール７を手前側へ引き動かしてその両端部を両支持体８から取り外すことができ、又、同下レール７を後方へ押し動かしてその両端部を両支持体８に嵌着させて取り付けることができ、その際、上方で吊り下げ保持されている引き戸パネル３はそのままでも支障なくこのような着脱作業を行うことができる。それ故に、引き戸パネル３が吊り下げ保持された状態のままでも、下レール７をキャビネット１に対して容易に着脱することができ、同下レール７を取り外した状態にして簡単且つ水洗い等で十分に清掃することができる。しかも、下レール７が両支持体８間に架設固定されて確実強固に支持され、着脱の際には、同下レール７の両端部における嵌合の着脱となるので、抵抗少なくスムーズにこの着脱作業を行うことができる。
【００４１】
又、この実施形態のキャビネット用引き戸においては、下レール７が後方へ開口した断面略コ字状の型材で形成されて強固となり、しかも、この下レール７の両端部における同開口が利用されて、この開口を支持体８に前方から外嵌めにより嵌着することで、両支持体８は覆い隠され、簡単な構造で確実且つ外観良く同下レール７を架設固定することができる。
【００４２】
又、この実施形態のキャビネット用引き戸においては、支持体８の外側周縁に突設されたフランジ片９が下レール７の端部縁を覆い隠すので、同支持体８は端部カバーキャップを兼ねるものとなって、同下レール７の端部納まり外観が良好となる。しかも、この場合に、フランジ片９が利用されて、このフランジ片９の上辺部分を上方へ延設することで戸当り片部１０は容易に形成され、引き戸パネル３の下端部分側端が同戸当り片部１０に着脱自在に当止される。なお、ここで、戸当り片部１０にガイド片６を着脱自在に当止させて、戸当り作用が発揮されるようになすこともできる。
【００４３】
又、この実施形態のキャビネット用引き戸においては、下レール７の上面に形成されたレール溝１１にガイド片６がスライド自在に係合されることで、引き戸パネル３はその振れ動きが防止されてスムーズに走行される。しかも、引き戸パネル３の下端部分にガイド片６が上下動自在に垂設されるので、下レール７を前後方向に移動させて着脱する際に、同ガイド片６を上方へ押し上げ退避させて支障なく容易に着脱することができる。この場合、下レール７を嵌着して取り付けた際には、ガイド片６が弾発付勢力により自動的にレール溝１１に係合されて、このレール溝１１から抜け外れることも防止され、又、同ガイド片６を弾発付勢力に抗し支障なく上方へ退避させることができて容易に着脱することができる。
【００４４】
なお、本発明のキャビネット用引き戸において、引き戸パネル３の下端部分に垂設されるガイド片６が上下動自在とならない場合には、同引き戸パネル３を若干上方へ持ち上げた状態で、下レール７を手前側へ引き動かして取り外すことができ、又、同下レール７を取り付ける際には、この下レール７上に摺接されるガイド片６を介して引き戸パネル３を支持した状態で、同下レール７を後方へ押し動かして取り付けることができる。
【００４５】
【発明の効果】
上述の如く、本発明の請求項１記載のキャビネット用引き戸においては、引き戸パネルが吊り下げ保持された状態のままでも、下レールをキャビネットに対して容易に着脱することができ、同下レールを取り外した状態にして簡単且つ十分に清掃することができる。しかも、下レールは両支持体間に架設固定されて強固に支持され、同下レールを抵抗少なくスムーズに着脱することができる。
【００４６】
又、本発明の請求項２記載のキャビネット用引き戸においては、特に、下レールが断面略コ字状の型材で形成されて強固となり、しかも、この下レールを支持体に前方から外嵌めにより嵌着することで、両支持体は覆い隠され、簡単な構造で確実且つ外観良く同下レールを架設固定することができる。
【００４７】
又、本発明の請求項３記載のキャビネット用引き戸においては、特に、フランジ片が下レールの端部縁を覆い、支持体は端部カバーキャップを兼ねるものとなり、同下レールの端部納まり外観が良好となる。
【００４８】
又、本発明の請求項４記載のキャビネット用引き戸においては、特に、上記フランジ片が利用されて戸当り片部は容易に形成され、引き戸パネルの下端部分側端が同戸当り片部に着脱自在に当止される。
【００４９】
又、本発明の請求項５記載のキャビネット用引き戸においては、特に、引き戸パネルが振れ動かないようスムーズに走行され、しかも、下レールを前後方向に移動させて着脱する際に、ガイド片を上方へ退避させて支障なく容易に着脱することができる。
【００５０】
又、本発明の請求項６記載のキャビネット用引き戸においては、特に、上記のように下レールを着脱する際、ガイド片を弾発付勢力に抗し上方へ退避させて支障なく着脱することができ、下レールを取り付けた際には、同ガイド片が自動的にレール溝に係合されこのレール溝から抜け外れることも防止される。
【図面の簡単な説明】
【図１】本発明の一実施形態であるキャビネット用引き戸を示す分解斜視図。
【図２】同キャビネット用引き戸を示す要部分解斜視図。
【図３】同キャビネット用引き戸を示す要部縦断面図。
【図４】従来例であるキャビネット用引き戸を示す要部縦断面図。
【符号の説明】
１　キャビネット
２　開口部
３　引き戸パネル
４　ランナー
５　上レール
６　ガイド片
７　下レール
８　支持体
９　フランジ片
１０　戸当り片部
１１　レール溝
【図１】
2004116230.tif 000003
【図２】
2004116230.tif 000004
【図３】
2004116230.tif 000005
【図４】
2004116230.tif 000006